(57)【特許請求の範囲】
【請求項１】
画像または映像を表示する画像表示装置が表示可能な解像度を示す第１の解像度情報を、前記画像表示装置から受信する通信手段と、
映像信号を入力して、前記映像信号の解像度を調整して前記画像表示装置に出力する解像度調整部と、を備えた表示出力装置において、
前記通信手段により受信した前記第１の解像度情報に含まれる、前記画像表示装置が最適に表示可能な解像度を示すネイティブ解像度情報を、前記第１の解像度情報から抽出する解像度情報抽出部を備え、
前記解像度情報抽出部は、前記第１の解像度情報と、前記表示出力装置が出力可能な解像度を示す第２の解像度情報とを照合して、両方に合致する第３の解像度情報を抽出し、
前記解像度調整部は、前記ネイティブ解像度情報が前記第３の解像度情報に含まれるとき、入力した映像信号を、前記解像度情報抽出部が抽出した前記ネイティブ解像度情報に対応する解像度に調整する表示出力装置。
【請求項２】
前記解像度情報抽出部が抽出した前記ネイティブ解像度情報を強調する表示と前記第３の解像度情報を共に出力するＯＳＤ合成部と、
前記ＯＳＤ合成部が前記第３の解像度情報を出力している状態で、前記第３の解像度情報から解像度の選択および決定を受け付ける選択手段と、を備え、
前記解像度調整部は、前記選択手段により解像度の決定を受け付けた場合には、前記映像信号の解像度を前記選択手段で受け付けた解像度に調整する、請求項１に記載の表示出力装置。
【請求項３】
前記選択手段は、前記ネイティブ解像度情報を選択の初期項目とし、前記ネイティブ解像度情報以外の解像度情報が選択されていない状態で、前記解像度の中から前記ネイティブ解像度情報の決定を受け付ける請求項２に記載の表示出力装置。
【請求項４】
前記解像度調整部が、前記映像信号を前記ネイティブ解像度情報に対応する解像度に調整するかどうかを予め受け付ける設定手段を備え、
前記設定手段により前記映像信号を前記ネイティブ解像度情報に対応する解像度に調整する設定がされている場合には、前記解像度調整部が前記映像信号をこの解像度に調整し、
この設定がされていない場合には、前記選択手段が解像度の選択を受け付ける請求項２または３のいずれかに記載の表示出力装置。
【発明の詳細な説明】
【技術分野】
【０００１】
本発明は、画像を表示する画像表示装置から解像度情報を受信して、これに基づいて映像信号を出力する際の解像度を調整する機能を備えた表示出力装置に関する。
【背景技術】
【０００２】
画像表示装置から解像度情報を受信して、これに基づいて出力する解像度を調整する機能を備えた表示出力装置が開示されている（特許文献１〜４等）。特許文献１には、画像表示装置と表示出力装置で接続可能な映像フォーマットをユーザが覚えなくても良いように、ＨＤＭＩ規格に従った装置を用いて、これらの装置で共通する映像フォーマットを選択可能にした構成が開示されている。ここで、ＨＤＭＩ（High-Definition Multimedia Interface）規格は、2002年12月に策定された、主に家電やＡＶ機器機器向けのデジタル映像・音声入出力インターフェース規格である。これによれば、1本のケーブルで映像・音声・制御信号を合わせて送受信することができる。また、このようにして送受信した結果、解像度情報を送信側の装置が把握できる。これにより、映像信号の送信側の表示出力装置、映像信号の受信側の画像表示装置が出力できる解像度が合致するものから解像度を選択することが行われている。
【０００３】
特許文献１〜３には、解像度情報を送受信してスケーリング調整等を行う画像出力装置等が開示されている。
【特許文献１】特表２００７−５０３７５１公報
【特許文献２】特開２００７−７９１７７公報
【特許文献３】特開２００５−１０９７０３公報
【発明の開示】
【発明が解決しようとする課題】
【０００４】
しかしながら、解像度の選択は、ユーザにとって煩雑であった。また、このように解像度が合致するものから最高の解像度を選択しても必ずしも画像がきれいに表示されない問題があった。即ち、解像度は高ければきれいに出力されるのではなく、受信側の装置がきれいに出力できる固有の解像度がある。受信側の画像表示装置が、この固有の解像度を超える映像信号を入力すると、例えば、画像表示装置は、自己の出力解像度に合うように映像信号の解像度をスケールダウンして表示することになる。特にマトリクス表示の液晶表示器、プラズマ表示器などは、ドットで表示するから、解像度を超える映像信号の入力を受けると、ドットの数に合わせるようスケールダウンするために、ドットを切り下げて画像、動画を出力していた。したがって、解像度を２度調整することになり、画面にきれいに表示できない虞があった。
【０００５】
そこで、本発明は、画像を表示する画像表示装置から解像度情報を受信して、これに基づいて映像信号を出力する際の解像度を調整する機能を備えた表示出力装置において、最適な解像度を選択する表示出力装置を提供することを目的とする。
【課題を解決するための手段】
【０００６】
本発明は、以下の構成を備えている。
【０００７】
（１）画像または映像を表示する画像表示装置が表示可能な解像度を示す第１の解像度情報を、前記画像表示装置から受信する通信手段と、
映像信号を入力して、前記映像信号の解像度を調整して前記画像表示装置に出力する解像度調整部と、を備えた表示出力装置において、
前記通信手段により受信した前記第１の解像度情報に含まれる、前記画像表示装置が最適に表示可能な解像度を示すネイティブ解像度情報を、前記第１の解像度情報から抽出する解像度情報抽出部を備え、
前記解像度情報抽出部は、前記第１の解像度情報と、前記表示出力装置が出力可能な解像度を示す第２の解像度情報とを照合して、両方に合致する第３の解像度情報を抽出し、
前記解像度調整部は、前記ネイティブ解像度情報が前記第３の解像度情報に含まれるとき、入力した映像信号を、前記解像度情報抽出部が抽出した前記ネイティブ解像度情報に対応する解像度に調整する。
【０００８】
この構成の表示出力装置の解像度情報抽出部は、前記画像表示装置に特有のネイティブ解像度情報を抽出し、解像度調整部が、そのネイティブ解像度で出力するから、画像表示装置側は、スケールダウンして表示する必要がなく、最適な表示を行うことができる。
【０００９】
（２）前記解像度情報抽出部が抽出した前記ネイティブ解像度情報を強調する表示と前記第３の解像度情報を共に出力するＯＳＤ合成部と、
前記ＯＳＤ合成部が前記第３の解像度情報を出力している状態で、前記第３の解像度情報から解像度の選択および決定を受け付ける選択手段と、を備え、
前記解像度調整部は、前記選択手段により解像度の決定を受け付けた場合には、前記映像信号の解像度を前記選択手段で受け付けた解像度に調整する。
【００１０】
上記（１）で説明した特徴を持つネイティブ解像度情報を強調表示するから、ユーザは、容易に選択できる。前記解像度調整部は、前記選択手段により解像度の決定を受け付けた場合には、前記映像信号の解像度を前記選択手段で受け付けた解像度に調整するので、容易にネイティブ解像度に設定できる。
【００１１】
（３）  前記選択手段は、前記ネイティブ解像度情報を選択の初期項目とし、前記ネイティブ解像度情報以外の解像度情報が選択されていない状態で、前記解像度の中から前記ネイティブ解像度情報の決定を受け付ける。
【００１２】
この構成では、ネイティブ解像度情報以外の解像度情報が選択されていない状態でも、ネイティブ解像度情報の決定を受け付けるから、ユーザは、迷わず直ちにネイティブ解像度に設定できる。
【００１３】
（４）前記解像度調整部が、前記映像信号を前記ネイティブ解像度情報に対応する解像度に調整するかどうかを予め受け付ける設定手段を備え、
前記設定手段により前記映像信号を前記ネイティブ解像度情報に対応する解像度に調整する設定がされている場合には、前記解像度調整部が前記映像信号をこの解像度に調整し、
この設定がされていない場合には、前記選択手段が解像度の選択を受け付ける。
【００１４】
この構成では、設定手段により解像度に調整するかどうかを予め受け付けて、承諾を得ているので、直ちに、前記解像度調整部が前記映像信号をこの解像度に調整する。したがって、ユーザの設定の手間を省くことができる。
【発明の効果】
【００１５】
本発明の表示出力装置は、画像表示装置に最適な解像度の映像信号を出力するから、スケールダウン等が必要でなくなり、画像表示装置に最適な解像度で画像、映像を表示させることができる。
【発明を実施するための最良の形態】
【００１６】
図１を用いて、本発明の実施形態のデジタル放送録画装置（図中１で図示）の構成について説明する。デジタル放送録画装置１は、デジタル放送を受信して、受信した番組を録画する録画装置であり、第１ＨＤＭＩ送受信部６を介して画像表示装置１０２に映像信号を出力する装置である。
【００１７】
デジタル放送録画装置１は、ＨＤＭＩ規格に準拠している。装置１は、映像信号出力部２と、解像度調整部３と、ＯＳＤ（On Screen Display）合成部４と、第１ＨＤＭＩ送受信部６と、制御部７と、記憶部８と、操作部９とを備える。またデジタル放送録画装置１の外部に、Ｄ／Ａ変換器６の映像信号を表示する画像表示装置１０２を備える。
【００１８】
映像信号出力部２は、チューナ２１、ＴＶデコーダ２２、録画部２３、セレクタ２４を備える。  チューナ部２１は、チューナ、復調回路、誤り訂正回路、分離回路、デマルチプレクサ、バッファメモリを備えている。チューナは、制御部７により指定されたチャンネルの放送信号を抽出し、復調回路に出力する。復調回路は、入力された放送信号を復調し、誤り訂正回路に出力する。誤り訂正回路は入力されたＴＳ（トランスポートストリーム）の誤り情報を訂正する。分離回路は、誤り訂正回路から出力された信号からＴＳを分離して、出力する。
【００１９】
ＴＶデコーダ２２は、デマルチプレクサと、デコーダを備えている。ＴＳには複数の仮想チャンネルの番組が多重化されて送信されていると共に、仮想チャンネル番号の情報が含まれている。デマルチプレクサは、これらの仮想チャンネルのうちの１チャンネルのパケットを抽出して制御部７に出力する。制御部２からの指示又は許可を受けてから、チューナ２１内のバッファメモリが記憶するデータを適宜読み出す。そして、読み出したデータから映像データと音声データとを分離し、両データを伸長し、出力する。ＴＶデコーダ２２は、映像データを、セレクタ２４と録画部３に入力し、音声データをセレクタ２４と録画部３に入力する。
【００２０】
録画部２３は、エンコーダ２３１と、記録部２３２と、デコーダ２３３と、図示しないタイマとを備え、制御部７の録画予約処理により、ＴＶデコーダ２２の映像信号と音声信号を記録する。エンコーダ２３１は、ＴＶデコーダ２２から出力した映像信号、音声信号を例えばＭＰＥＧ形式にエンコードする。
【００２１】
記録部２３２は、記録媒体（着脱可能なもののみならず据付のものを含む）と記録媒体への記録／読み出しを行う記録／読み出し部を備える。記録部２３２は、エンコーダ２３１でエンコードされた映像信号、音声信号を記録する。記録媒体は、ＣＤ、ＤＶＤ、ハードディスク、ビデオテープ等であり、映像信号を記録できるものであれば、何でも良い。ただし、アナログの映像信号を記録部２３２から再生して出力する場合には、デコーダ２３３の代わりにＡＤ変換器を設ける。記録部２３２の記憶媒体を読み出す記録／読み出し部は、例えば、記録媒体がＤＶＤであれば、光学ピックアップである。デコーダ２３３は、記録部２３２で読み出した映像信号をデコードする。
【００２２】
セレクタ２４は、映像信号、音声信号を同時に切り換える機能を備え、ＴＶデコーダ２２、デコーダ２３３、外部入力４２のうちのいずれかの映像信号、音声信号を選択する。録画部３が動画ファイルを再生している時には、セレクタ２４は、デコーダ３３の映像信号、音声信号の入力を選択する。外部入力にリモコンで切り換えたときは、外部入力４２の映像信号、音声信号を選択する。これらのいずれでもない場合には、ＴＶデコーダ２２の映像信号、音声信号の入力が選択する。セレクタ２４は映像信号を解像度調整部３に出力し、音声信号を第１ＨＤＭＩ送受信部６に出力する。
【００２３】
解像度調整部３は、制御部７の指示を受けた場合に、画像表示装置１０２へ出力する映像信号の解像度を公知の方法で調整し、フォーマットを変更する。映像信号出力部２の出力より、制御部７で指示された出力の方が解像度が高い場合には、補間して滑らかにする。映像信号出力部２の出力より、制御部７で指示された出力の方が解像度が低い場合には、画像を圧縮する。
【００２４】
ＯＳＤ合成部４は、デジタル放送録画装置１の各種設定を表示し、ユーザにこれらの設定を選択させるための文字図形の映像信号を出力する。ＯＳＤ合成部４は、ＯＳＤ画像メモリを備えており、制御部７から与えられる制御信号に基づいて、このＯＳＤ画像メモリが記憶している文字又は図形の映像信号を生成し、出力する。セレクタ２４から映像信号が出力されている場合にはこの映像信号を合成する。
【００２５】
第１ＨＤＭＩ送受信部６は、ＨＤＭＩケーブル６０を介して、ＯＳＤ合成部４から出力した映像信号と、セレクタ２４の出力である音声信号を画像表示装置１０２の第２ＨＤＭＩ送受信部１０４に出力する。また、第１ＨＤＭＩ送受信部６は、画像表示装置１０２と通信して、画像表示装置１０２の制御部１０３から、画像表示装置１０２が表示可能な解像度の情報の一覧である表示装置解像度情報１０５を取得し、記憶部８に出力する。この取得方法は、制御部７が第１ＨＤＭＩ送受信部６を介して、画像表示装置１０２の制御部１０３に情報送信の要求を出して、これに応じて、画像表示装置１０２の制御部１０３が第２ＨＤＭＩ送受信部１０４を介して、第１の解像度情報８１を送信することにより行う。
【００２６】
制御部７は、ＣＰＵで構成し、デジタル放送録画装置１内の各部を制御する。例えば、チューナ２１内のバッファＲＡＭへの記録、読み出しタイミングや、セレクタ２４の切替、記録部３２への記録タイミング、画像表示装置１０２へ出力する解像度などを制御する。例えば、制御部７は、第１ＨＤＭＩ送受信部６を介して画像表示装置１０２と通信し、表示装置解像度情報１０５を記憶部８に記憶するよう指示する。また、表示装置解像度情報１０５および装置解像度情報８１に基づいて、画像表示装置１０２に出力する映像信号の最適な解像度の候補の情報である、最適解像度情報８２を決定する。
【００２７】
記憶部８は、ＲＯＭと、制御部７内のサブプログラム、制御情報を格納するＲＯＭ、制御部７の計算結果を一時的に記憶するＲＡＭを備えている。ＲＯＭ内には、デジタル放送録画装置１が出力できる映像信号の解像度の一覧を表した装置解像度情報８１を記憶している。ＲＡＭには、画像表示装置１０２と通信して記憶した表示装置解像度情報１０５と、制御部７が決定した最適解像度情報８２を記憶している。
【００２８】
操作部９は、デジタル放送録画装置１に取り付けた操作子や、リモコンおよびリモコンからの赤外信号を受け付けるリモコン受光部で構成する。操作部９は、制御部７を操作するための制御入力を受け付ける。デジタル放送録画装置１またはリモコンの操作子が押下げられると、所定の入力が制御部９に入力される。
【００２９】
画像表示装置１０２は、制御部１０３、第２ＨＤＭＩ送受信部１０４、図示しない液晶パネル、スピーカを備える。画像表示装置は、例えば、液晶表示器、ブラウン管、プラズマ、有機ＥＬとすることができる。この構成により、デジタル放送録画装置１から出力された映像信号、音声信号を入力して、画像または映像、および音声を出力する。制御部１０３は、制御情報を格納するＲＯＭ、ＲＡＭを備え、画像表示装置１０２の各部を制御する。このＲＯＭは、画像表示装置１０２が表示可能な解像度の一覧を表した表示装置解像度情報１０５を記憶している。
【００３０】
第２ＨＤＭＩ送受信部１０４は、デジタル放送録画装置１とデータを送受信するためのインターフェースであり、映像信号等を受信するのみならず、画像表示装置１０２の表示装置解像度情報１０５を送信する。第１ＨＤＭＩ送受信部６から、表示装置解像度情報１０５の送信が要求された場合には、第２ＨＤＭＩ送受信部１０４は、この要求を制御部１０３に伝達し、制御部１０３は、表示装置解像度情報１０５を、第２ＨＤＭＩ送受信部１０４を介してデジタル放送録画装置１に送信する。
【００３１】
なお、映像信号出力部２としては、図１に示したものに限らず、映像信号を出力するものであれば、何でも良い。図２で示した映像信号出力部２の一部の出力を出力するものや、アナログの映像信号、例えばテレビ受像機のチューナの出力をデジタルに変換して出力するものや、パソコンの出力でも良い。
また、セレクタ２４を映像信号、音声信号の２つに分離して構成しても良い。
【００３２】
次に、図２を用いて、最適解像度設定処理について説明する。この処理を実行するサブプログラムおよび出力装置解像度情報８１は、記憶部８のＲＯＭ内に記録されている。この処理では、制御部７が、送受信部６を介して画像表示装置１０２と通信して、画像表示装置１０２内の表示装置解像度情報１０５を装置１のＲＡＭ内に記憶する。そして、出力装置解像度情報８１、表示装置解像度情報１０５を対比して、合致する解像度８３１を選択可能な解像度情報８２として選択する。情報１０５には、ネイティブ解像度１０５１が含まれている。
【００３３】
なお、以下の図中では、説明のためネイティブ解像度１０５１に「●」を付している。以下の説明では、ネイティブ解像度１０５１を１２８０×７２０として説明する。ネイティブ解像度は、画像表示装置１０２固有のものであり、装置１０２によって異なり、１２８０×７２０に限られない。例えば、ドットマトリクス形式で出力する液晶表示器、プラズマ表示器であれば、物理的に表示できる縦横のドット数がこれに該当する。
【００３４】
解像度調整部３は、デジタル放送録画装置１がネイティブ解像度１０５１の解像度で出力できる場合には、解像度調整部３に入力した映像信号をネイティブ解像度１０５１に調整する。これにより、装置１、１０２を起動したときには、直ちに、装置１０２の画面には、テレビの解像度１０５２の解像度で出力する。
【００３５】
次に、図３、図４を用いて、以上の実施例の応用として、解像度の選択を受け付ける実施例について説明する。図３は、その実施例１を、図４はその実施例２を表わしている。いずれの実施例でも、制御部７は、操作部９から所定のキー操作を受けたとき（例えばリモコンから所定のボタン操作を受けたとき）、操作部９から解像度の選択を受け付ける。そのとき、ＯＳＤ合成部４に指示して、図３の画面１０６または図４の画面１０７を表示する。
【００３６】
図３の例１では、ＯＳＤ合成部４は、画面１０６に、レコーダの解像度８３、テレビの解像度１０５２、解像度選択９１を表示する。レコーダの解像度８３は、出力装置解像度情報８１に相当し、デジタル放送録画装置１の解像度の一覧を表わしている。テレビの解像度１０５２は、表示装置解像度情報１０５に相当し、画像表示装置１０２の解像度を表わしている。レコーダの解像度８３の中で、テレビの解像度１０５２と合致しないものは、グレイアウト８４で示している。また、テレビの解像度１０５２の中でレコーダの解像度８３に合致しないものは、グレイアウト８５で示している。解像度選択９１では、レコーダの解像度８３とテレビの解像度１０５２と合致するものの集合を示している。解像度選択９１に示した解像度の中から、ハイライト表示９２の移動の選択を受け付ける。これにより、解像度の選択を受け付ける。また、操作部９のリモコンの決定ボタンが押されると解像度の決定がなされる。これにより解像度の決定を受け付ける。
【００３７】
テレビの解像度１０５２のうちネイティブ解像度１０５３については、解像度選択９１において、例えば、「●」等により強調表示を行う。また、画面１０６を表示し、ユーザから選択を受け付けていない初期状態では、ハイライト表示９３がネイティブ解像度１０５３と同じ位置に来るようにする。これにより、ユーザは解像度の選択をしなくても、決定ボタンを押すことにより、直ちにネイティブの解像度を選択できる。
【００３８】
図４の例２では、画面１０７を表示する。この画面には、レコーダの解像度８３、解像度選択９１の代わりに、解像度選択９４をまとめて表示する。また、図３の例１と同様、テレビの解像度１０５２を表示する。テレビの解像度１０５２には、図３の例１と同様、グレイアウト８５を表示する。また、解像度選択９１には、装置１が表示できる解像度の集合である出力装置解像度情報８１（図２参照）を並べて表示する。また、図３の例と同様、テレビの解像度１０５２と合致しないものについては、グレイアウト８６で表示する。また、解像度選択９４に示した解像度の中から、ハイライト表示９２の移動の選択を受け付ける。この実施例２では、グレイアウト８４で表示した部分については、カーソルキーで選択されたときに、選択できないようにハイライト表示９２をスキップさせて表示する。したがって、グレイアウト８４が付された解像度には、ハイライト表示９２がされることがないから、ユーザは、装置１と装置１０２の解像度情報８１、１０５が合致したもののみから選択できる。また、操作部９のリモコンの決定ボタンが押されると解像度の決定がなされる。これにより、解像度の決定を受け付ける。
【００３９】
なお、以上の実施例では、装置１，１０２を初めて接続した状態では、直ちに、装置１，１０２をネイティブ解像度１０５３に自動的に設定するようにしてもよい。この場合、その接続後、ユーザは、所定のキー操作により、画面１０３または１０４を表示させて、別の解像度の設定をする。
【００４０】
次に、図５を用いて、以上の実施例の応用にかかる実施例について説明する。この実施例では、装置１が解像度のネイティブ設定９４を自動的に設定するかどうかを予め決定する初期設定モードを実行する。初期設定モードは、ユーザが、例えばリモコンの初期設定ボタンを押したときに起動し、制御部７がこのモードのサブプログラムを用いて以下の処理を行う。ＯＳＤ合成部４は、制御部７から指示を受けて、画面１０８を表示させる。
【００４１】
画面１０８のように、「１．アスペクト比率」、「２．音声」、「３．解像度のネイティブ設定」の項目を表示して、設定項目の選択および決定を受け付ける。設定項目の選択については、カーソルキーなどの所定のキーで選択を受け付ける。これによりハイライト表示９５が移動する。リモコンの決定キーが押されると、その項目を設定する画面を表示する。
【００４２】
解像度のネイティブ設定９６が選択され、決定キーが押された場合には、画面１０９を表示する。この状態でＯＳＤ合成部４は、ネイティブ設定オン/オフ９６を表示する。この状態で、制御部７は、オン/オフの選択を受け付ける。カーソルキーなどの所定のキーで選択を受け付ける。これによりハイライト表示９７がオン/オフのいずれかの他方に移動する。リモコンの決定キーが押されると、オン/オフが設定される。具体的には、記憶部８のＲＡＭ（または図示しないフラッシュメモリ）に記憶する。
【００４３】
ネイティブ設定オン/オフ９６にオンが設定されると、装置１の起動時には、装置１は、なんら設定を受け付けずに、直ちにネイティブ解像度１０５３で、装置１０２に映像信号を出力する。ネイティブ設定オン/オフ９６にオフが設定されると、装置１の起動時には、装置１は、図３図４に示したような解像度を選択する画面１０５または１０６を表示して、ユーザから解像度の設定を受け付ける。
【００４４】
次に図６、図７のフローを用いて、最適解像度設定処理について説明する。制御部７は、記憶部８内のＲＯＭに記憶したサブプログラムを用いて、この処理を実行する。この処理は、装置１の起動時、装置１が装置１０２の接続を検出したときに実行する。図６は、その処理の例１を表わしている。この例は、図５のような初期設定を設けない例を示している。
【００４５】
ＳＴ１で、制御部７は、第１ＨＤＭＩ送受信部６を介して、画像表示装置１０２に対し、表示装置解像度情報１０５をデジタル放送録画装置１に送信するよう要求する。
ＳＴ２で、デジタル放送録画装置１の要求に応じて、画像表示装置１０２が表示装置解像度情報１０５を送信した場合、これを受信する。
ＳＴ３で、制御部７は、表示装置解像度情報１０５を記憶部８のＲＡＭに記憶させる。
ＳＴ４で、制御部７は、表示装置解像度情報１０５の中から、ネイティブ解像度１０５３を抽出する。
【００４６】
ＳＴ５で、制御部７は、表示装置解像度情報１０５と選択可能な解像度情報８２とを照合して、選択可能な解像度情報８２を抽出する。
ＳＴ６で、ネイティブ解像度１０５３で出力できるかどうか判断する。具体的には、選択可能な解像度情報８２の中から、ネイティブ解像度１０５３があるかどうか判断する。ネイティブ解像度１０５３で出力できる場合には（ＳＴ６のＹＥＳ）、ＳＴ７に移動する。ＳＴ７では、解像度調整部３が、入力した映像信号をネイティブ解像度１０５３に調整する。
ネイティブ解像度１０５３がない場合には（ＳＴ６のＮＯ）、図３、図４で示した画面を表示して、解像度の選択を受け付ける。なお、この場合には、ネイティブ解像度１０５３がグレイアウト８４になり、選択できないから、画面１０６、１０７の起動時には、別の解像度の項目をハイライト表示する。
【００４７】
図７の実施例２について説明する。実施例２は、ＳＴ６のＹＥＳの場合に、ＳＴ６１に分岐する点が異なる。その他は、すべて図６の実施例と同じ動作なので、以上の説明を準用する。ＳＴ６１は、図５で示した初期設定で、ネイティブ設定オン/オフ９６を設けた場合に対応している。ＳＴ６１では、ネイティブ設定オン/オフ９６がオンであるかどうか判断する。この設定９６がオンである場合（ＳＴ６１のＹＥＳ）に限り、ＳＴ７で、解像度調整部３が解像度をネイティブ解像度１０５３に設定する。設定９６がオフである場合には、ＳＴ８に移動し、解像度の選択を受け付ける。
【００４８】
以上の実施形態について補足する。
【００４９】
以上の図１の説明では、機能ごとに分離したブロックで説明したが、実装上は、これらの機能のうち、いずれかが複数の機能が一体となったシステムＩＣで構成してもよいし、一つのブロックを複数に分離して構成してもよい。各ブロックの役割分担について、あるブロックの一部の機能を他のブロックの一部の機能としてもよい。
【００５０】
また、以上では、ＨＤＭＩ規格を例にとり説明したが、画像表示装置が出力可能な解像度についての解像度情報を送信するよう要求し、該解像度情報を受信する通信手段を有するような装置であれば、以上の実施形態の適用が可能である。また、相手装置に要求して、このような解像度情報の取得をするための規格に適合する装置であれば、よりいっそう容易にこのような解像度情報の受信が可能である。
【００５１】
また、本発明の実施形態として、デジタル放送録画装置１を例にとり説明したのは、本発明の「解像度調整部」に入力する映像信号を生成する構成の例を示すためであり、録画する構成は必須ではない。画像または映像の信号を出力できる装置であれば、本発明を適用できる。また、映像信号出力部２は、映像を出力していれば本発明に適用できる。即ち、解像度調整部が、解像度を調整する入力信号があれば、以上の構成を適用できる。例えば、外部入力４２の端子も、本発明の「解像度調整部」に入力する映像信号を生成する構成になりうる。
【００５２】
また、図１の説明で、画像表示装置１０２がスピーカを有するとしたが、別の音響装置に音声信号を出力して、音声を放音させてもよい。また、図３、図４では、ネイティブ解像度１０５３を「●」で表示したが、これに限らず、強調表示できればどのようなものでもよい。
【００５３】
また、図５では、３つの項目、即ち「１．アスペクト比率」、「２．音声」、「３．解像度のネイティブ設定」の項目を示した。しかし、ここでは、他に項目を示してもよいし、「３．解像度のネイティブ設定」が設定できるように、項目の選択ができれば十分である。
【図面の簡単な説明】
【００５４】
【図１】本実施形態のデジタル放送受信録画装置の構成図を表わしている。
【図２】最適解像度を設定する処理を説明する図を表わしている。
【図３】本実施形態のデジタル放送受信録画装置の最適解像度を選択、決定する画面の例１を表わしている。
【図４】本実施形態のデジタル放送受信録画装置の最適解像度を選択、決定する画面の例２を表わしている。
【図５】本実施形態のデジタル放送受信録画装置の解像度のネイティブ設定を選択する画面を表わしている。
【図６】本実施形態のデジタル放送受信録画装置の最適解像度設定処理のフロー図を表わしている。
【図７】図２と異なる最適解像度設定処理のフロー図を表わしている。
【符号の説明】
【００５５】
１−デジタル放送録画装置、
２−映像信号出力部、  ２１−チューナ、  ２２−ＴＶデコーダ、
２３−録画部、  ２３１−エンコーダ、  ２３２−記録部、  ２３３−デコーダ、
２４−セレクタ、  ３−解像度調整部、  ４−ＯＳＤ合成部、
６−第１ＨＤＭＩ送受信部、  ６０−ＨＤＭＩケーブル、  ７−制御部、
８−記憶部、  ８１−出力装置解像度情報、  ８２−選択可能な解像度情報、
８３−レコーダの解像度、  ８４−グレイアウト、
９−操作部、  ９１−解像度選択、  ９２−ハイライト表示、  ９３−ハイライト表示、
９４−解像度のネイティブ設定、  ９６−ネイティブ設定オン/オフ、
１０１−アンテナ、  １０２−画像表示装置、
１０３−制御部、  １０４−第２ＨＤＭＩ送受信部、
１０５−表示装置解像度情報、  １０５１−ネイティブ解像度、
１０５２−テレビの解像度、  １０５３−ネイティブ解像度、  １０６−画面、
１０７−画面、  １０８−画面、  １０９−画面
【図１】
0005251036.tif 000002
【図２】
0005251036.tif 000003
【図３】
0005251036.tif 000004
【図４】
0005251036.tif 000005
【図５】
0005251036.tif 000006
【図６】
0005251036.tif 000007
【図７】
0005251036.tif 000008